(57)【要約】　　　（修正有）【課題】ねじによってパネルと筐体を固定した電子機器において、固定ねじ締めつけ時に切削した塗料が脱落したり、隆起した塗料が露出してしまうことを防止することができる電子機器を提供する。【解決手段】電子回路と、箱形を成し前記電子回路を内部に固定し雌ねじ部２０１を備える筐体２と、塗装が施された塗装部３０２を表面に備え表面と裏面の間を貫通する孔３０１が形成され筐体２を開閉可能なパネル３と、溝部を備えるねじ頭部５０と外周に雄ねじが形成された雄ねじ部４０を有し、パネル３の前方から孔３０１に挿入され筐体２の雌ねじ部２０１に嵌合し筐体２とパネル３を固定する固定ねじ部とを備え、ねじ頭部５０は、パネル３の表面と対向する位置に凸部６０を備え、凸部６０は、頂角が前記パネルに対向しねじ締め回転方向に鋭角を有する三角錐を成し、ねじ頭部５０の外周側に位置する面がパネル３の表面に対して垂直に配置される。【選択図】　　　図３
2004047521.tif 000002
【特許請求の範囲】
【請求項１】
電子回路と、箱形を成し前記電子回路を内部に固定し雌ねじ部を備える筐体と、塗装が施された塗装部を表面に備え表面と裏面の間を貫通する孔が形成され前記筐体を開閉可能なパネルと、溝部を備えるねじ頭部と外周に雄ねじが形成された雄ねじ部を有し、前記パネルの前方から前記孔に挿入され前記筐体の前記雌ねじ部に嵌合し前記筐体と前記パネルを固定する固定ねじ部とを備え、
前記ねじ頭部は、前記パネルの表面と対向する位置に凸部を備え、
前記凸部は、頂角が前記パネルに対向しねじ締め回転方向に鋭角を有する三角錐を成し、前記ねじ頭部の外周側に位置する面が前記パネルの表面に対して垂直に配置されることを特徴とする電子機器。
【請求項２】
電子回路を内部に固定する電子機器に用いる筐体において、
塗装が施された塗装部を表面に備え表面と裏面の間を貫通する孔が形成されるパネルと、溝部を備えるねじ頭部と外周に雄ねじが形成された雄ねじ部を有し、前記パネルの前方から前記孔に挿入され前記雌ねじ部に嵌合し前記パネルを固定する固定ねじ部を備え、
前記ねじ頭部は、前記パネルの表面と対向する位置に凸部を備え、
前記凸部は、頂角が前記パネルに対向しねじ締め回転方向に鋭角を有する三角錐を成し、前記ねじ頭部の外周側に位置する面が前記パネルの表面に対して垂直に配置されることを特徴とする電子機器に用いる筐体。
【請求項３】
溝部を備えるねじ頭部と外周に雄ねじが形成された雄ねじ部を有し雌ねじ部を備える筐体と塗装が施された塗装部を表面に備え表面と裏面の間を貫通する孔が形成されるパネルを固定するねじにおいて、
前記ねじ頭部は、前記パネルの表面と対向する位置に凸部を備え、
前記凸部は、頂角が前記パネルに対向しねじ締め回転方向に鋭角を有する三角錐を成し、前記ねじ頭部の外周側に位置する面が前記パネルの表面に対して垂直に配置されることを特徴とするねじ。
【発明の詳細な説明】
【０００１】
【発明の属する技術分野】
本発明は、オーディオ信号を増幅するオーディオ信号増幅装置や光ディスクを再生する再生装置等の電子機器及び当該電子機器に用いる筐体及び当該筐体とパネルを固定するねじに関する。
【０００２】
【従来の技術】
従来の電子機器として、オーディオ信号増幅装置を例に挙げ説明する。
図４（ａ）は、従来のオーディオ信号増幅装置を示す斜視図である。
オーディオ信号増幅装置１００は、筐体２、パネル３、ヒンジ４、増幅部８、雄ネジ２１、固定ねじ３００、図示しない入力部及び出力部を備える。
【０００３】
筐体２は、鋼材から成り、内部に増幅部８を備える。筐体２は、前面に雌ねじ部２０１を備える。パネル３は、鋼材から成り、筐体２の前面に配置される。パネル３は、表面と裏面の間を貫通する孔３０１が形成されている。パネル３は、表面に塗装が施された塗装部３０２を備える。
【０００４】
ヒンジ４は、筐体２とパネル３の側面に備える図示しない雌ねじに雄ねじ２１を締めつけることによって固定される。ヒンジ４は、図示しないシャフトを備え、当該シャフトを軸に自在に回動する。パネル３は、ヒンジ４のシャフトを軸に回動し、筐体２の前面を図４（ａ）の矢印方向に開閉する。
【０００５】
固定ねじ３００は、パネル３の前方から孔３０１に挿入され、筐体２の雌ねじ部２０１に締め付けることによって、パネル３を筐体２に固定する。固定ねじ３００の構成については後述する。
【０００６】
オーディオ信号増幅装置１００は、導電ケーブルにより再生装置及びスピーカと接続されている。
【０００７】
再生装置は、光ディスクに記録されているオーディオデータを再生し、オーディオ信号を出力する。オーディオ信号増幅装置１００の入力部は、再生装置から出力されたオーディオ信号を入力し増幅部８へ出力する。
【０００８】
増幅部８は、オーディオ信号の信号レベルを増幅し、出力部へ出力する。出力部は、増幅部８から入力されたオーディオ信号をスピーカへ出力する。
【０００９】
以上により、オーディオ信号増幅装置１００は、再生装置から入力されたオーディオ信号を増幅し、スピーカへ出力する。
【００１０】
図４（ｂ）は、固定ねじの断面構造を示す断面図である。
図４（ｃ）は、図４（ｂ）の下面図である。
固定ねじ３００は、雄ねじ部４００、頭部５０及び凸部６００を備える。頭部５０は、凹状の溝部５１０を備える。雄ねじ部４００は、円筒型を成し外周に雄ねじが形成されている。凸部６００は、円錐型を成し、頭部５０の裏面から雄ねじ部４００の軸方向へ突出している。
【００１１】
図５は、固定ねじによって筐体にパネルを固定する動作を示す図であり、図５（ａ）は、固定ねじをパネルの前方から孔に挿入し、筐体の雌ねじ部に締め付ける状態を示す断面図、図５（ｂ）は、図５（ａ）の下面図、図５（ｃ）は、図５（ａ）の状態から固定ねじの雌ねじ部への締めつけを完了した状態を示す断面図である。
【００１２】
固定ねじ３００によりパネル３を筐体２に固定する場合は、初めに、パネル３の後面を筐体２の前面に当接させた状態でパネル３の前方から孔３０１に雄ねじ部４００の先端を挿入する。次に、ドライバー８０の先端に備える凸部８０１を頭部５０の溝部５１０に嵌合させる。次に、ドライバー８０を回転させる。固定ねじ３００は、ドライバー８０の回転と共に回転し、雄ねじ部４００が筐体２の雌ねじ部２０１に嵌合する。このとき、凸部６００は、雄ねじ部４００の回転と共に回転しながら塗装部３０２を貫通し、パネル３に当接する位置まで食い込む。
【００１３】
以上のように、固定ねじ３００を締めつけることによってパネル３を筐体２に固定する。凸部６００がパネル３の表面の塗装部３０２を貫通してパネル３に当接する位置まで食い込むことにより、次の効果を奏する。
【００１４】
第１の効果として、固定ねじ３００の雄ねじ部４００を雌ねじ部２０１に嵌合した状態のときに凸部６００が塗装部３０２に食い込むことにより、固定ねじ３００が塗装部３０２に固定され、固定ねじ３００の締めつけの緩みを防止するという効果がある。また、第２の効果として、パネル３と筐体２を電気的に導通させたい場合、例えば、パネル３に操作部や表示部等の電子機器が固定され、これらの電子機器のマイナス電極を筐体２の鉄鋼部材の部分に導通させたい場合、固定ねじ３００の凸部６００が塗装部３０２を貫通し、パネル３と当接することにより、固定ねじ３００を介してパネル３と筐体２を電気的に導通させることができる。このことにより、筐体２とパネル３が同電位となるので、オーディオ信号増幅装置１００の外部の電波ノイズがオーディオ信号増幅装置の内部の増幅部８などの電子回路へ影響を与えることを防止できるという効果がある。
【００１５】
【発明が解決しようとする課題】
このような凸部６００を備える従来の固定ねじ３００を締めつける際、図５（ｂ）に示すように、凸部６００が雄ねじ部４００を軸に矢印Ａ方向に回転しながら塗装部３０２の塗料を切削する。凸部６００によって切削された塗装部３０２の塗料は、図５（ｂ）に示すように、凸部６００の回転方向である矢印Ａの方向から頭部５０の内周方向及び外周方向に亘って排出される。
【００１６】
このため、図５（ｃ）に示すように、凸部６００により排出された塗料が脱落したり、頭部５０の外周方向及び内周方向へ隆起する。頭部５０の外周方向へ隆起した塗料は、頭部５０の外周側へ隆起し、当該隆起した塗料がパネル３の前方から露出する。
【００１７】
隆起した塗装がパネル３の前方から露見するとオーディオ信号増幅装置１の外観が損なわれる。また、脱落した塗料がオーディオ信号増幅装置１の表面に付着し、その付着した塗料の除去作業が必要となる。
【００１８】
本発明は、筐体と表面に塗装を施したパネルを備え、当該パネルの表面に食い込ませる突起を頭部に備える固定ねじによってパネルと筐体を固定した電子機器において、固定ねじ締めつけ時に切削した塗料が脱落したり、隆起した塗料が露出してしまうことを防止することができる電子機器を提供することを目的とする。
【００１９】
【課題を解決するための手段】
本願の請求項１記載の発明は、電子機器において、電子回路と、箱形を成し前記電子回路を内部に固定し雌ねじ部を備える筐体と、塗装が施された塗装部を表面に備え表面と裏面の間を貫通する孔が形成され前記筐体を開閉可能なパネルと、溝部を備えるねじ頭部と外周に雄ねじが形成された雄ねじ部を有し、前記パネルの前方から前記孔に挿入され前記筐体の前記雌ねじ部に嵌合し前記筐体と前記パネルを固定する固定ねじ部とを備え、前記ねじ頭部は、前記パネルの表面と対向する位置に凸部を備え、前記凸部は、頂角が前記パネルに対向しねじ締め回転方向に鋭角を有する三角錐を成し、前記ねじ頭部の外周側に位置する面が前記パネルの表面に対して垂直に配置されることを特徴とする。
【００２０】
本願の請求項２記載の発明は、電子回路を内部に固定する電子機器に用いる筐体において、塗装が施された塗装部を表面に備え表面と裏面の間を貫通する孔が形成されるパネルと、溝部を備えるねじ頭部と外周に雄ねじが形成された雄ねじ部を有し、前記パネルの前方から前記孔に挿入され前記雌ねじ部に嵌合し前記パネルを固定する固定ねじ部を備え、前記ねじ頭部は、前記パネルの表面と対向する位置に凸部を備え、前記凸部は、頂角が前記パネルに対向しねじ締め回転方向に鋭角を有する三角錐を成し、前記ねじ頭部の外周側に位置する面が前記パネルの表面に対して垂直に配置されることを特徴とする。
【００２１】
本願の請求項３記載の発明は、溝部を備えるねじ頭部と外周に雄ねじが形成された雄ねじ部を有し雌ねじ部を備える筐体と塗装が施された塗装部を表面に備え表面と裏面の間を貫通する孔が形成されるパネルを固定するねじにおいて、前記ねじ頭部は、前記パネルの表面と対向する位置に凸部を備え、前記凸部は、頂角が前記パネルに対向しねじ締め回転方向に鋭角を有する三角錐を成し、前記ねじ頭部の外周側に位置する面が前記パネルの表面に対して垂直に配置されることを特徴とする。
【００２２】
【発明の実施の形態】
本発明の実施例を図面を参照して説明する。なお、従来技術で示した構成要素と同じ部分については同符号を用いる。
【００２３】
本発明の電子機器として、オーディオ信号増幅装置を例に挙げ説明する。
図１は、本発明の電子機器の一実施例のオーディオ信号増幅装置の構成を示す斜視図である。
【００２４】
オーディオ信号増幅装置１は、筐体２、パネル３、ヒンジ４、増幅部８、雄ネジ２１、固定ねじ３０、図示しない入力部及び出力部を備える。
【００２５】
筐体２は、鋼材から成り、内部に増幅部８を備える。筐体２は、前面に雌ねじ部２０１を備える。パネル３は、鋼材から成り、筐体２の前面に配置される。パネル３は、表面と裏面の間を貫通する孔３０１が形成される。パネル３は、表面に塗装が施された塗装部３０２を備える。
【００２６】
ヒンジ４は、筐体２とパネル３の側面に備える図示しない雌ねじに雄ねじ２１を締めつけることによって固定される。ヒンジ４は、図示しないシャフトを備え、当該シャフトを軸に自在に回動する。パネル３は、ヒンジ４のシャフトを軸に回動し、筐体２の前面を図１の矢印方向に開閉する。
【００２７】
固定ねじ３０は、パネル３の前方から孔３０１に挿入され、筐体２の雌ねじ部２０１に締め付けることによって、パネル３を筐体２に固定する。固定ねじ３０の構成については後述する。
【００２８】
オーディオ信号増幅装置１は、図示しない導電ケーブルにより再生装置及びスピーカと接続されている。
【００２９】
再生装置は、光ディスクに記録されている例えばオーディオデータを再生し、オーディオ信号を出力する。オーディオ信号増幅装置１の入力部は、再生装置から出力されたオーディオ信号を入力し増幅部８へ出力する。
【００３０】
増幅部８は、オーディオ信号の信号レベルを増幅し、出力部へ出力する。出力部は、増幅部８から入力されたオーディオ信号をスピーカへ出力する。
【００３１】
以上により、オーディオ信号増幅装置１は、再生装置から入力されたオーディオ信号を増幅し、スピーカへ出力する。
【００３２】
図２は、固定ねじを示す図であり、図２（ａ）は断面図、図２（ｂ）は下面図、図２（ｃ）は、固定ねじの凸部を示す斜視図である。
固定ねじ３０は、雄ねじ部４０、頭部５０及び凸部６０を備える。頭部５０は、凹状の溝部５０１を備える。雄ねじ部４０は、円筒型を成し外周に雄ねじが形成される。図２（ｂ）に示すように、雄ねじ部４０は、矢印Ａの方向に回転することにより他の部材である雌ねじ部へねじ締めを行い、矢印Ｂの方向に回転することにより、他の部材である雌ねじ部とのねじ締めが緩むよう形成されている。
【００３３】
図２（ａ）乃至図２（ｃ）に示すように、凸部６０は、ねじ締めをする回転方向（矢印Ａの方向）に鋭角を有する三角錐型を成し、頭部５０の裏面から雄ねじ部４０の軸方向へ突出している。凸部６０は、頭部５０の内周側に傾斜を有する傾斜面６０１を備え、頭部５０の外周側に垂直面６０２を備える。図２（ａ）に示すように、垂直面６０２は、頭部５０の裏面に対して垂直に配置される。すなわち、垂直面６０２は、雄ねじ部４０の軸方向に対して平行に位置する。
【００３４】
図３は、固定ねじ３０によって筐体２にパネル３を固定する動作を示す図で、図３（ａ）は、固定ねじをパネルの前方から孔に挿入し、筐体の雌ねじ部に締め付ける状態を示す断面図、図３（ｂ）は、図３（ａ）の下面図、図３（ｃ）は、図３（ａ）の状態から固定ねじの雌ねじ部への締めつけを完了した状態を示す断面図である。
【００３５】
固定ねじ３０によりパネル３を筐体２に固定する場合は、初めに、パネル３の後面を筐体２の前面に当接させた状態でパネル３の前方から孔３０１に雄ねじ部４０の先端を挿入する。次に、ドライバー８０の先端に備える凸部８０１を頭部５０の溝部５０１に嵌合させる。次に、ドライバー８０を回転させる。固定ねじ３０は、ドライバー８０の回転と共に回転し、雄ねじ部４０が筐体２の雌ねじ部２０１に嵌合する。このとき、凸部６０は、雄ねじ部４０の回転と共に回転しながら塗装部３０２を貫通しパネル３に当接する位置まで食い込む。
【００３６】
図３（ｂ）に示すように、凸部６０は、雄ねじ部４０を軸に矢印Ａ方向に回転しながら塗装部３０２の塗料を切削しながら塗装部３０２へ食い込んでいく。
【００３７】
このとき、垂直面６０２は、塗装部３０２の表面に対して垂直に食い込んでいくので、凸部６０によって切削された塗装部３０２の塗料は、凸部６０の回転方向である矢印Ａの方向から頭部５０の内周方向である矢印Ｃの方向に亘って排出される。
【００３８】
このことにより、図３（ｃ）に示すように、凸部６０によって切削された塗装部３０２は、頭部５０の外周方向に隆起しないので、当該隆起した塗料がパネル３の前方から露見しない。また、切削された塗料は頭部５０の内周の位置で保持され、頭部５０の外周に脱落しない。
【００３９】
以上により、本実施例のオーディオ信号増幅装置１は、凸部６０を備える固定ねじ３０をねじ締めすることにより、パネル３を筐体２に固定する際、凸部６０によってパネル３の表面の塗装部を切削しても、パネルの表面に施した塗装が固定ねじの頭部の外周から脱落したり、凸部６０の食い込みによって隆起した塗料がパネル３の前方から露見するのを防止するのことができるので、オーディオ信号増幅装置１の外観を損ねたり、凸部によって切削された塗料がオーディオ信号増幅装置１に付着するのを防止することができる。
【００４０】
【発明の効果】
本発明によれば、筐体と表面に塗装を施したパネルを備え、当該パネルの表面に食い込ませる突起を頭部に備える固定ねじによってパネルと筐体を固定した電子機器において、固定ねじ締めつけ時に切削した塗料が脱落したり、隆起した塗料が露出してしまうことを防止することができる電子機器を提供することができる。
【図面の簡単な説明】
【図１】本発明の電子機器の一実施例のオーディオ信号増幅装置の構成を示す斜視図。
【図２】固定ねじを示す図であり、図２（ａ）は断面図、図２（ｂ）は下面図、図２（ｃ）は、固定ねじの凸部を示す斜視図。
【図３】固定ねじ３０によって筐体２にパネル３を固定する動作を示す断面図。
【図４】従来のオーディオ信号増幅装置の構成を示す図で、図４（ａ）は斜視図、図４（ｂ）は、固定ねじの断面構造を示す断面図、図４（ｃ）は、図４（ｂ）の下面図。
【図５】固定ねじによって筐体にパネルを固定する動作を示す断面図。
【符号の説明】
１　オーディオ信号増幅装置、２　筐体、２０１　雌ねじ部、
３　パネル、３０１　孔、３０２　塗装部、４　ヒンジ、
８　増幅部、２１　雄ねじ、
３０　固定ねじ、４０　雄ねじ部、５０　頭部、５０１　溝部、
６０　凸部、６０１　傾斜面、６０２　垂直面、８０　ドライバー、８０１　凸部、
１００　オーディオ信号増幅装置、３００　固定ねじ、４００　雄ねじ部、
５１０　溝部、６００　凸部
【図１】
2004047521.tif 000003
【図２】
2004047521.tif 000004
【図３】
2004047521.tif 000005
【図４】
2004047521.tif 000006
【図５】
2004047521.tif 000007